(57)【要約】【課題】ベースの複数カ所をフロアに対して確実に固定することができるベース構造を提供する。【解決手段】固定ロッド９を押し下げて、その下端部をフロア６に圧接した状態にすると、ベース３はフロア６に対して固定された状態となる。複数の角部４の各固定ロッド９がそれぞれ独立してフロア６に圧接するため、ベース３の安定した固定状態が得られる。解除ロッド２０を下げると、固定ロッド９とロックバー１８との係合が解除され、ベース３はキャスター５により移動可能な状態に戻る。【選択図】        図７
2019199095.tif 000002
【特許請求の範囲】
【請求項１】
装置本体が上面部の中央に設置され且つ中央部から放射方向へ突出する複数の角部が形成されたベースを有し、該ベースの角部にフロアに対する移動手段と固定手段とがそれぞれ設けられたベース構造であって、
前記固定手段が、
常時下方に付勢された状態で角部を上下方向で貫通し且つ途中部位に小径部が形成された固定ロッドと、
それぞれ基端部を中心に先端部側が接離自在で且つ先端部側が互いに固定ロッド側に付勢され、固定ロッドの下端部がフロアに圧設した状態で先端部が固定ロッドの小径部の下端に係合する一対のロックバーと、
常時上方に付勢された状態で上端部が角部の上方に突出し、下端部が一対のロックバーの間に位置し、下降時に一対のロックバーを押し拡げてロックバーと固定ロッドとの係合を解除するテーパ部が形成された解除ロッドと、
を具備することを特徴とするベース構造。
【請求項２】
固定ロッドの下端部が、弾性圧縮自在なクッション構造により形成されることを特徴とする請求項１記載のベース構造。
【発明の詳細な説明】
【技術分野】
【０００１】
本発明はベース構造に関するものである。
【背景技術】
【０００２】
従来より、装置本体の下部に位置するベースには、本来的に装置本体を立てた状態に保持すると共に、装置本体をフロアに対して移動・固定させる機能が求められる。そのため、ベースにはキャスター等の移動手段が設けられていると共に、フロアに対する固定手段も設けられている。例えばベースに設けられた上下リフト手段により、移動手段又は固定手段を選択的に下方へ突出させ、ベースの移動状態又は固定状態が選択的に得られるようにした構造が知られている（例えば、特許文献１参照）。
【先行技術文献】
【特許文献】
【０００３】
【特許文献１】特開平１０−１６５０５号公報
【発明の概要】
【発明が解決しようとする課題】
【０００４】
しかしながら、このような関連技術にあっては、複数の固定手段が一体的に下降してフロアと接するため、フロアに凹凸がある場合には一部の固定手段がフロアに対して浮いた状態となり均一な接触状態とならず、安定した固定状態が得られない場合がある。
【０００５】
本発明はこのような関連技術に着目してなされたものであり、ベースの複数カ所をフロアに対して確実に固定することができるベース構造を提供することを目的としている。
【課題を解決するための手段】
【０００６】
本発明の第１の技術的側面によれば、装置本体が上面部の中央に設置され且つ中央部から放射方向へ突出する複数の角部が形成されたベースを有し、該ベースの角部にフロアに対する移動手段と固定手段とがそれぞれ設けられたベース構造であって、前記固定手段が、常時下方に付勢された状態で角部を上下方向で貫通し且つ途中部位に小径部が形成された固定ロッドと、それぞれ基端部を中心に先端部側が接離自在で且つ先端部側が互いに固定ロッド側に付勢され、固定ロッドの下端部がフロアに圧設した状態で先端部が固定ロッドの小径部の下端に係合する一対のロックバーと、常時上方に付勢された状態で上端部が角部の上方に突出し、下端部が一対のロックバーの間に位置し、下降時に一対のロックバーを押し拡げてロックバーと固定ロッドとの係合を解除するテーパ部が形成された解除ロッドとを具備することを特徴とする。
【０００７】
本発明の第２の技術的側面によれば、固定ロッドの下端部が、弾性圧縮自在なクッション構造により形成されていることを特徴とする。
【発明の効果】
【０００８】
本発明の第１の技術的側面によれば、固定ロッドを押し下げて、その下端部をフロアに圧接した状態にすると、固定ロッドの小径部の下端が一対のロックバーに係合することにより、その状態が維持されて、ベースはフロアに対して固定された状態となる。複数の角部の各固定ロッドがそれぞれ独立してフロアに圧接するため、ベースの安定した固定状態が得られる。解除ロッドを下げると、一対のロックバーが押し拡げられるため、固定ロッドとロックバーとの係合が解除され、固定ロッドは上昇してベースは移動手段により移動可能な状態に戻る。
【０００９】
本発明の第２の技術的側面によれば、固定ロッドの下端部が弾性圧縮自在なクッション構造により形成されているため、フロアに圧接した状態の固定ロッドを仮に強制的にスライドさせたとしても、クッション構造の弾性圧縮によりフロアの変化に対応できる場合があり、安定した固定状態を保つことができる。
【図面の簡単な説明】
【００１０】
【図１】スタンド装置を示す斜視図。
【図２】角部を示す斜視図。
【図３】移動可能状態を示す角部の横断面図。
【図４】固定状態を示す角部の横断面図。
【図５】固定解除状態を示す角部の横断面図。
【図６】移動可能状態を示す角部の縦断面図。
【図７】固定状態を示す角部の縦断面図。
【図８】固定解除状態を示す角部の縦断面図。
【発明を実施するための形態】
【００１１】
図１〜図８は、本発明の好適な実施形態を示す図である。
【００１２】
図１は、手術顕微鏡１を支持するスタンド装置２である。装置本体であるスタンド装置２の下部にはベース３が設けられている。スタンド装置２はベース３の上面部の中央に設置され、ベース３に対して垂直軸を中心に水平方向で回転自在である。ベース３は中央部から四方へ向けて放射方向に突出した４つの角部４を有している。
【００１３】
この４つの角部４には移動手段としてキャスター５が設けられている。このキャスター５をフロア６に対して転動させることにより、スタンド装置２を移動させたり、回転させたりすることができる。キャスター５の周囲には大きめの円筒部７が設けられ、フロア６上にあるコード等を巻き込まないようになっている。
【００１４】
角部４の上部にはカバー８が設けられている。カバー８を取付けることで、カバー８と角部４との間には空間が形成される。角部４の先端側には固定手段を構成する固定ロッド９が角部４とカバー８を上下方向に貫通した状態で設けられている。固定ロッド９の上端部１０は足踏みするために大きく形成されている。固定ロッド９の上端部１０よりも若干下方には小径部１１が形成されている。小径部１１の下端は水平な段差面となっている。
【００１５】
角部４の固定ロッド９が貫通する部分には中空状のハウジング１２が固定され、固定ロッド９はこのハウジング１２を上下方向で貫通している。固定ロッド９の途中にはフランジ１３が形成され、このフランジ１３とハウジング１２の下面部との間にはスプリング１４が設けられている。従って固定ロッド９はこのスプリング１４により上方に付勢されている。またこの固定ロッド９の下方はハウジング１２も含めて保護のために細い円筒部１５により囲まれている。
【００１６】
固定ロッド９の下端部は別のスプリング１６を利用したクッション構造１７により形成されている。このクッション構造１７はスプリング１６により弾性圧縮する構造になっている。
【００１７】
カバー８により覆われた空間には、水平方向で並んだ一対のロックバー１８が設けられている。ロックバー１８はそれぞれベース３の中央側の基端部が回転軸１９により軸支され、この回転軸１９を中心に先端側が接離自在に動くようになっている。ロックバー１８の先端部の間には固定ロッド９が位置し、その基端部側の間には後述する解除ロッド２０が位置している。ロックバー１８の外側にはカバー８の内面との間にスプリング２１が設けられ、ロックバー１８の先端部を常に固定ロッド９や解除ロッド２０と接触する方向へ付勢している。ロックバー１８の上下方向での厚さは固定ロッド９の小径部１１と合致している。
【００１８】
解除ロッド２０はカバー８の上部に設けられたハウジング２２を貫通する状態で設けられ、上端部２３は足踏みのために大きく形成されている。解除ロッド２０の途中にはフランジ２４が形成され、フランジ２４とハウジング２２の下端との間にスプリング２５が設けられ、解除ロッド２０を常時上方へ付勢している。解除ロッド２０の下端部はテーパ部２６を介して小径となっており、一対のロックバー１８の間に位置している。解除ロッド２０の下端部に対応する角部４には凹部２７が形成されている。
【００１９】
次に作用を説明する。
【００２０】
移動可能状態（図３及び図６）
固定ロッド９がスプリング１４により上昇して、固定ロッド９のクッション構造１７がフロア６から離れている時、ベース３はキャスター５により移動可能となる。この状態ではロックバー１８は固定ロッド９の小径部１１よりも下方の通常太さの側面部分にスプリング２１の付勢力により接している。
【００２１】
固定状態（図４及び図７）
ベース３を固定状態にする場合は、固定ロッド９の上端部１０を足踏み力Ｆにより下方へ下げる。そうすると固定ロッド９のクッション構造１７がフロア６に圧接すると共に、スプリング２１の付勢力によりロックバー１８が固定ロッド９の小径部１１と係合する。つまりロックバー１８の下面が固定ロッド９の小径部１１の下端の段差と係合することにより、固定ロッド９の上昇は防止される。この状態で固定ロッド９のクッション構造１７はフロア６に対して圧接された状態なる。そのためベース３の移動は防止されて固定状態となる。
【００２２】
４つの固定ロッド９のクッション構造１７がそれぞれ独立してフロア６の状態に応じて圧接されるため、ベース３を安定した状態で固定することができる。
【００２３】
また固定状態で、仮にベース３が横方向に強制的にスライドされても、固定ロッド９の下端部は弾性圧縮自在なクッション構造１７により形成されているため、クッション構造１７の弾性圧縮によりフロア６の変化に対応できる場合があり、引き続き安定した固定状態を保つことができる。
【００２４】
固定解除状態（図５及び図８）
ベース３を再度移動可能状態に戻すには、解除ロッド２０の上端部２３を足踏み力Ｆにより押下げる。そうすると解除ロッド２０のテーパ部２６が一対のロックバー１８の間に入り込んで、ロックバー１８を押し拡げる。解除ロッド２０の下端と角部４との干渉は凹部２７により回避される。ロックバー１８が押し拡げられると、固定ロッド９の小径部１１とロックバー１８との係合は解除され、固定ロッド９はスプリング１４の付勢力により上昇して、固定ロッド９のクッション構造１７がフロア６から離れる。そのためベース３はキャスター５により移動可能となる。
【符号の説明】
【００２５】
２  スタンド装置（装置本体）
３  ベース
４  角部
５  キャスター（移動手段）
６  フロア
９  固定ロッド
１１  小径部
１４、１６、２１、２５  スプリング
１７  クッション構造
１８  ロックバー
２０  解除ロッド
２６  テーパ部
Ｆ  足踏み力
【図１】
2019199095.tif 000003
【図２】
2019199095.tif 000004
【図３】
2019199095.tif 000005
【図４】
2019199095.tif 000006
【図５】
2019199095.tif 000007
【図６】
2019199095.tif 000008
【図７】
2019199095.tif 000009
【図８】
2019199095.tif 000010